(57)【要約】【課題】コンクリート及びレベリング材の少なくとも一方の打設目標高さを示す目印を目標高さ位置に設定する際に使用され、当該目印が目標高さ位置に設定済みであるか否かを判別することができる機能を備えた治具を提供する。【解決手段】本発明のレベル表示具１０は、レベル表示具本体１１と、コンクリートの打設目標高さを示す第一表示部１３と、レベリング材の打設目標高さを示す第二表示部１４と、外部から視認可能で且つレベル表示具本体１１に対して位置変更可能な位置変更予定部１５と、を備える。【選択図】図１
2019120060.tif 000002
【特許請求の範囲】
【請求項１】
コンクリート及びレベリング材の少なくとも一方の打設目標高さを示す目印を目標高さ位置に設定する際に使用される治具であって、
治具本体と、
外部から視認可能で且つ前記治具本体に対して位置変更可能な位置変更予定部と、
を備えることを特徴とする治具。
【請求項２】
レベル表示具であって、
レベル表示具本体と、
コンクリート及びレベリング材の少なくとも一方の打設目標高さを示す表示部と、
外部から視認可能で且つ前記レベル表示具本体に対して位置変更可能な位置変更予定部と、
を備えることを特徴とするレベル表示具。
【請求項３】
前記表示部は、前記コンクリートの打設目標高さを示す第一表示部と、前記レベリング材の打設目標高さを示す第二表示部とを備え、
前記第一表示部は前記レベル表示具本体の周方向に所定間隔あけて複数形成されており、
前記位置変更予定部は複数の前記第一表示部の周方向間に形成されている、
請求項２に記載のレベル表示具。
【請求項４】
レベル表示具本体と、コンクリート及びレベリング材の少なくとも一方の打設目標高さを示す表示部とを備えるレベル表示具を保持するための補助具であって、
補助具本体と、
前記補助具本体に設けられ、前記レベル表示具本体を取り付ける取付部と、
外部から視認可能で且つ前記補助具本体に対して位置変更可能な位置変更予定部と、
を備えることを特徴とする補助具。
【請求項５】
前記補助具本体に設けられ、鉄筋を保持する保持部をさらに備える、
請求項４に記載の補助具。
【請求項６】
前記表示部は、前記レベリング材のみの打設目標高さを示し、
前記補助具本体の少なくとも一部は、コンクリートが打設された後に、当該コンクリートに挿入される、
請求項４に記載の補助具。
【請求項７】
前記位置変更予定部は、折り曲げ可能な折曲予定部である、
請求項１に記載の治具、請求項２若しくは３に記載のレベル表示具、又は請求項４から６のいずれか１項に記載の補助具。
【請求項８】
前記位置変更予定部は、除去可能な除去予定部である、
請求項１に記載の治具、請求項２若しくは３に記載のレベル表示具、又は請求項４から６のいずれか１項に記載の補助具。
【発明の詳細な説明】
【技術分野】
【０００１】
本発明は、コンクリート及びレベリング材の少なくとも一方の打設目標高さを示す目印を目標高さ位置に設定する際に使用される治具に関する。本発明は、レベル表示具及び補助具にも関する。
【背景技術】
【０００２】
コンクリート基礎等のコンクリート構造物を施工する際には、コンクリートやレベリング材を流し込む高さ位置を示す目印が必要である。このような目印としては、例えば特許文献１から４に開示されたレベル表示具が存在する。また、レベル表示具を鉄筋に取り付けるための補助具も特許文献１から４に開示されている。
【０００３】
特許文献１のレベル表示具２０は、生コンの打設高さを示す目印２１と、レベリング材の高さを示す目印２２と、ネジ部２３とを備えている。レベル表示具２０のネジ部２３は天端出し補助具１０の部分ネジ１２ｃと螺合している。レベル表示具２０は、目印２１及び目印２２を打設目標高さに合わせるために、高さ調節される必要がある。レベル表示具２０の高さ調節を行う場合には、調節具を使用してレベル表示具２０を回転させ上下方向に移動させる。
【０００４】
また、レベリング材のみの打設目標高さを示す目印として、特許文献５に開示されたレベル表示具が存在する。このレベル表示具を保持するための補助具も特許文献５に開示されている。
【先行技術文献】
【特許文献】
【０００５】
【特許文献１】特開２０１５−０９６６９３号公報
【特許文献２】特開２０１３−２３４５１３号公報
【特許文献３】特開２０１５−０５２２１９号公報
【特許文献４】特開２０１７−０３１７６９号公報
【特許文献５】特開２０１５−０３０９９５号公報
【発明の概要】
【発明が解決しようとする課題】
【０００６】
施工予定のコンクリート構造物の大きさにもよるが、例えば住宅用の基礎では１００〜４００本のレベル表示具が設置される。作業者は全てのレベル表示具の高さ調節を行う必要があるが、前記の通りレベル表示具は多数設置されるため、どのレベル表示具の調節を終えたのか分からなくなり、調節済みのレベル表示具と未調節のレベル表示具との見分けがつかなくなることがある。この問題を解決するため、例えば、高さ調節が完了したレベル表示具に作業者がペンやカッタなどで目印を付けることにより、調節済みのレベル表示具と未調節のレベル表示具とを見分けるような方法も考えられる。しかしながら、この方法では、作業者は、調節具とは別にペンやカッタといった目印を付与する道具を所持していなければならず、煩わしいという問題がある。
【０００７】
本発明は上記課題に鑑みて成された発明であり、コンクリート及びレベリング材の少なくとも一方の打設目標高さを示す目印を目標高さ位置に設定する際に使用され、当該目印が目標高さ位置に設定済みであるか否かを判別することができる機能を備えた治具を提供することを目的とする。
【課題を解決するための手段】
【０００８】
本発明は下記に掲げる態様の発明を提供する。
（項目１）
コンクリート及びレベリング材の少なくとも一方の打設目標高さを示す目印を目標高さ位置に設定する際に使用される治具であって、
治具本体と、
外部から視認可能で且つ前記治具本体に対して位置変更可能な位置変更予定部と、
を備えることを特徴とする治具。
（項目２）
レベル表示具であって、
レベル表示具本体と、
コンクリート及びレベリング材の少なくとも一方の打設目標高さを示す表示部と、
外部から視認可能で且つ前記レベル表示具本体に対して位置変更可能な位置変更予定部と、
を備えることを特徴とするレベル表示具。
（項目３）
前記表示部は、前記コンクリートの打設目標高さを示す第一表示部と、前記レベリング材の打設目標高さを示す第二表示部とを備え、
前記第一表示部は前記レベル表示具本体の周方向に所定間隔あけて複数形成されており、
前記位置変更予定部は複数の前記第一表示部の周方向間に形成されている、
項目２に記載のレベル表示具。
（項目４）
レベル表示具本体と、コンクリート及びレベリング材の少なくとも一方の打設目標高さを示す表示部とを備えるレベル表示具を保持するための補助具であって、
補助具本体と、
前記補助具本体に設けられ、前記レベル表示具本体を取り付ける取付部と、
外部から視認可能で且つ前記補助具本体に対して位置変更可能な位置変更予定部と、
を備えることを特徴とする補助具。
（項目５）
前記補助具本体に設けられ、鉄筋を保持する保持部をさらに備える、
項目４に記載の補助具。
（項目６）
前記表示部は、前記レベリング材のみの打設目標高さを示し、
前記補助具本体の少なくとも一部は、コンクリートが打設された後に、当該コンクリートに挿入される、
項目４に記載の補助具。
（項目７）
前記位置変更予定部は、折り曲げ可能な折曲予定部である、
項目１に記載の治具、項目２若しくは３に記載のレベル表示具、又は項目４から６のいずれか１項に記載の補助具。
（項目８）
前記位置変更予定部は、除去可能な除去予定部である、
項目１に記載の治具、項目２若しくは３に記載のレベル表示具、又は項目４から６のいずれか１項に記載の補助具。
【発明の効果】
【０００９】
本発明の治具は、外部から視認可能で且つ治具本体に対して位置変更可能な位置変更予定部を有している。位置変更予定部は目印が目標高さに設定された後に治具本体に対して位置変更される。位置変更された位置変更予定部の外観は変更前とは異なる。そのため、位置変更予定部を位置変更した後の治具は変更前の治具と区別することができ、これにより、目印を目標高さに設定済みであるか否かを判別することができる。
【００１０】
本発明のレベル表示具は、外部から視認可能で且つレベル表示具本体に対して位置変更可能な位置変更予定部を有している。位置変更予定部は表示部が目標高さに設定された後にレベル表示具本体に対して位置変更される。位置変更された位置変更予定部の外観は変更前とは異なる。そのため、位置変更予定部を位置変更した後のレベル表示具は変更前のレベル表示具と区別することができ、これにより、表示部を目標高さに設定済みであるか否かを判別することができる。
【００１１】
本発明の補助具は、外部から視認可能で且つ補助具本体に対して位置変更可能な位置変更予定部を有している。位置変更予定部はレベル表示具の表示部が目標高さに設定された後に補助具本体に対して位置変更される。位置変更された位置変更予定部の外観は変更前とは異なる。そのため、位置変更予定部を位置変更した後の補助具は変更前の補助具と区別することができる。これにより、位置変更予定部が位置変更済みである補助具に取り付けられたレベル表示具は高さ調節済みであると判断することができ、高さ未調節のレベル表示具と区別することができる。
【図面の簡単な説明】
【００１２】
【図１】（ａ）はレベル表示具の斜視図、（ｂ）は（ａ）のＩｂ−Ｉｂ線断面図である。
【図２】高さ調節済みのレベル表示具の斜視図である。
【図３】（ａ）は調節具の正面図、（ｂ）及び（ｃ）はそれぞれ調節具をレベル表示具に係合させる前の正面図及び右側面図である。
【図４】（ａ）及び（ｂ）はレベル表示具の変形例の断面図である。
【図５】（ａ）はレベル表示具の変形例の斜視図、（ｂ）は（ａ）のＶｂ−Ｖｂ線断面図である。
【図６】（ａ）及び（ｂ）はそれぞれ調節具の変形例の正面図及び右側面図、（ｃ）及び（ｄ）はそれぞれ調節具の別の変形例の正面図及び右側面図である。
【図７】（ａ）はレベル表示具が取り付けられた補助具の斜視図、（ｂ）は補助具の平面図である。
【図８】（ａ）はレベル表示具が取り付けられた補助具の変形例の斜視図、（ｂ）は補助具の変形例の平面図である。
【図９】（ａ）はレベル表示具が取り付けられた補助具の変形例の斜視図、（ｂ）は補助具の変形例の平面図である。
【図１０】レベル表示具及び補助具の斜視図である。
【図１１】（ａ）は補助具及びレベル表示具の斜視図、（ｂ）は補助具の使用方法を説明する断面図である。
【発明を実施するための形態】
【００１３】
本発明について図面を参照しながら説明する。なお、以下で説明する実施形態は、いずれも本発明の好ましい一具体例を示すものである。本発明は、以下の実施形態に限定されず、その主旨を逸脱しない範囲で適宜変更可能である。
【００１４】
本発明は、コンクリート及びレベリング材の少なくとも一方の打設目標高さを示す目印を目標高さ位置に設定する際に使用される治具である。
【００１５】
＜第一実施形態＞
第一実施形態では本発明の治具として、住宅用のコンクリート基礎を施工する際に、コンクリート及びレベリング材の打設目標高さを示すために使用されるレベル表示具１０について説明する。図１（ａ）はレベル表示具１０の斜視図であり、図１（ｂ）は図１（ａ）のＩｂ−Ｉｂ線断面図である。レベル表示具１０は、レベル表示具本体１１と、雄ネジ部１２と、第一表示部１３と、第二表示部１４と、位置変更予定部１５とを備える。レベル表示具本体１１は上下方向に延びる棒状部材から成る。雄ネジ部１２はレベル表示具本体１１の表面に形成されている。レベル表示具１０は例えば樹脂製の一体成型品である。
【００１６】
第一表示部１３はコンクリートの打設目標高さを示す目印である。第一表示部１３は雄ネジ部１２よりも上方に形成され、レベル表示具本体１１から横方向に延びている。本実施形態では、二つの第一表示部１３が、レベル表示具本体１１に対して対称位置に形成されている。第二表示部１４はレベリング材の打設目標高さを示す目印である。第二表示部１４は第一表示部１３よりも上方に位置している。本実施形態ではレベル表示具本体１１の頂部が第二表示部１４として機能する。第一表示部１３と第二表示部１４との上下方向間の間隔は、打設予定のレベリング材の厚みに合わせて予め設定されている。
【００１７】
位置変更予定部１５はレベル表示具本体１１に接続され、レベル表示具本体１１に対して位置変更可能に構成されている。本実施形態では、位置変更予定部１５として、板状の折曲予定部１５１が二つの第一表示部１３の周方向間に形成されている。折曲予定部１５１はレベル表示具本体１１から横方向に延びている。折曲予定部１５１は、折り曲げの起点となる折曲起点部１５１１を備えている。折曲起点部１５１１にはノッチが形成されており、折曲起点部１５１１の厚みは折曲起点部１５１１以外の折曲予定部１５１の厚みよりも小さくなっている。折曲予定部１５１に力が加えられると、折曲起点部１５１１が折り曲げの起点となり、折曲予定部１５１のうち折曲起点部１５１１よりも先端側の部位が折れ曲がる（図１（ｂ）において、折り曲げ後の折曲予定部１５１を二点鎖線にて示す）。
【００１８】
図２及び図３（ａ）から（ｃ）を参照してレベル表示具１０の使用方法及び作用効果について説明する。図２はレベル表示具１０の高さ調節が完了した後の斜視図である。まず、補助具１００を鉄筋Ｔ（図２では横筋Ｔ１）に取り付ける。次に、補助具１００にレベル表示具本体１１を挿入する。そして、図３（ａ）に示す調節具２００を使用して、レベル表示具１０を回転させ高さ調節を行う。レベル表示具１０は、第二表示部１４の高さがその打設目標高さに合うよう高さ調節される。前記の通り、第一表示部１３と第二表示部１４との上下方向間の間隔は打設予定のレベリング材の厚みに合わせて予め設定されているため、第二表示部１４の高さを合わせれば第一表示部１３の高さは自動的にその打設目標高さに合うようになる。
【００１９】
ここで、調節具２００の構成について簡単に説明する。図３（ａ）は調節具２００の正面図、図３（ｂ）及び（ｃ）はそれぞれ調節具２００をレベル表示具１０に係合させる前の状態を示す正面図及び右側面図である。調節具２００は、調節具本体２０１と、調節具本体２０１を駆動させる駆動部２０２とを備える。調節具本体２０１は、レベル表示具１０と係合する二つの係合部２０３を備える。駆動部２０２は、シャフト２０４と、筒状のシャフトカバー２０５と、ハンドル２０６とを備える。シャフト２０４はシャフトカバー２０５内に挿通されており、シャフトカバー２０５内において回転可能に保持されている。シャフト２０４の一端部には調節具本体２０１が着脱可能で且つ相対回転不能に取り付けられている。シャフト２０４の他端部にはハンドル２０６が相対回転不能に固定されている。
【００２０】
図３（ｂ）及び（ｃ）に示すように、レベル表示具１０の高さ調節を行う際には、まず、各係合部２０３を二つの第一表示部１３の周方向間にそれぞれ挿入する。このとき、一方の係合部２０３は折曲予定部１５１に接触し且つ折曲予定部１５１を下方に押圧して折り曲げる。次に、ハンドル２０６を回し、シャフト２０４及び調節具本体２０１を回転させる。調節具本体２０１の回転に伴い係合部２０３が第一表示部１３に接触してレベル表示具１０を回転させる。
【００２１】
レベル表示具１０の高さ調節が完了したら、調節具２００をレベル表示具１０から取り外す。図２に示すように、高さ調節された後のレベル表示具１０の折曲予定部１５１は係合部２０３によって下方に折り曲げられている。折曲予定部１５１が折り曲げられたことにより、レベル表示具本体１１に対する折曲予定部１５１の位置は折り曲げ前と比べて変化しており、折曲予定部１５１の外観は折り曲げ前とは異なっている。したがって、折曲予定部１５１が折り曲げられているレベル表示具１０（すなわち、高さ調節済みのレベル表示具１０）は、折曲予定部１５１が折り曲げられていない高さ未調節のレベル表示具１０と区別することができる。
【００２２】
＜第一実施形態の変形例＞
レベル表示具１０の変形例について説明する。上記で既に説明した構成要素については同一の符号を付しその説明を省略する。以下の変形例は、適宜組み合わせることができる。
【００２３】
［変形例１−１］
折曲予定部１５１は、レベル表示具本体１１に対して折り曲げることができれば、形状、厚み又は材質などは限定されない。例えば折曲起点部１５１１を設けず、折曲予定部１５１を人力で折り曲げることができる程度の均一な厚み（例えば、０．５ｍｍ以下）及び材質からなる薄片から構成することもできる。
【００２４】
［変形例１−２］
図４（ａ）及び（ｂ）は変形例１−２に係るレベル表示具１０の断面図である。変形例１−２に係るレベル表示具１０において、位置変更予定部１５はレベル表示具本体１１から除去可能な板状の除去予定部１５２である。図４（ａ）に示すように、除去予定部１５２は、二つの第一表示部１３の周方向間に形成されている。除去予定部１５２は、破断の起点となる破断起点部１５２１を備えている。破断起点部１５２１にはノッチが形成されており、破断起点部１５２１の厚みは破断起点部１５２１以外の除去予定部１５２の厚みよりも小さくなっている。レベル表示具１０は例えば硬質の樹脂材料から構成される。除去予定部１５２に力が加えられると、図４（ｂ）に示すように、破断起点部１５２１が割れ、破断起点部１５２１よりも先端側の部位がレベル表示具本体１１から切り離される。このように、除去予定部１５２の除去前と除去後を比較すると、レベル表示具本体１１に対する除去予定部１５２の位置は変化している。これにより、レベル表示具１０は高さ調節済みであると判断することができる。
【００２５】
［変形例１−３］
位置変更予定部１５の数は一つに限定されず、二つ以上であってもよい。位置変更予定部１５が形成される位置は二つの第一表示部１３の周方向間に限定されず、例えばレベル表示具本体１１の頂部から横方向に延びていてもよい。また、位置変更部１５は調節具２００ではなく、作業者の手によって位置変更されてもよい。
【００２６】
［変形例１−４］
図５（ａ）は変形例１−４に係るレベル表示具１０の斜視図であり、図５（ｂ）は図５（ａ）のＶｂ−Ｖｂ線断面図である。変形例１−５に係るレベル表示具１０では、複数の第一表示部１３の少なくとも一つが位置変更予定部１５を兼ねている。すなわち、図５（ａ）及び（ｂ）に示すように、第一表示部１３は二つ以上形成されており、複数の第一表示部１３の少なくとも一つが位置変更予定部１５として機能する。位置変更予定部１５を兼ねる第一表示部１３ａは、折曲予定部１５１又は除去予定部１５２と同様の構成である。第一表示部１３ａは力が加えられるとレベル表示具本体１１に対して位置変更される。他方の第一表示部１３ｂは、位置変更予定部１５として構成されていてもよく、あるいは、レベル表示具本体１１に対して位置変更不能に構成されていてもよい。
【００２７】
［変形例１−５］
図６（ａ）及び（ｂ）はそれぞれ調節具本体２０１の変形例を示す正面図及び右側面図である。図６（ｃ）及び（ｄ）はそれぞれ調節具本体２０１の別の変形例を示す正面図及び右側面図である。除去予定部１５２が二つの第一表示部１３の周方向間に形成されている場合（図４（ａ）及び（ｂ）参照）、図６（ａ）及び（ｂ）に示すように、調節具２００は係合部２０３の先端にカッタなどの切断手段２０７を備えていてもよい。これにより、除去予定部１５２をより簡単に除去することができるようになる。また、第一表示部１３ａが除去予定部１５２を兼ねている場合（図５（ａ）及び（ｂ）参照）、図６（ｃ）及び（ｄ）に示すように、調節具２００は、調節具本体２０１の二つの係合部２０３の周方向間に切断手段２０７を備えていてもよい。これにより、除去予定部１５２を兼ねた第一表示部１３ａをより簡単に除去することができるようになる。
【００２８】
＜第二実施形態＞
第二実施形態では本発明の治具として、住宅用のコンクリート基礎を施工する際に、コンクリート及びレベリング材の打設目標高さを示すために使用されるレベル表示具を鉄筋Ｔに取り付けるための補助具２０について説明する。補助具２０に取り付けられるレベル表示具としては、第一実施形態で説明したレベル表示具１０や、位置変更予定部１５を有していないレベル表示具１０を使用することができる。なお、上記実施形態で既に説明した構成要素については、同一の符号を付しその説明を省略する。
【００２９】
図７（ａ）及び（ｂ）を参照してレベル表示具１０を横筋Ｔ１に取り付けるための補助具２０Ａについて説明する。図７（ａ）及び（ｂ）はそれぞれ補助具２０Ａの斜視図及び平面図である。図７（ｂ）ではレベル表示具１０は省略している。図７（ａ）及び（ｂ）に示すように、補助具２０Ａは、補助具本体２１と、保持部２２と、取付部２３と、回転規制部２４と、位置変更予定部２５とを備える。補助具２０Ａは例えば樹脂製の一体成型品である。
【００３０】
保持部２２は補助具本体２１に形成され、横筋Ｔ１と略平行に延びる筒部である。保持部２２の下部は開口しており、保持部２２内には横筋Ｔ１が保持される。取付部２３は補助具本体２１に形成された上下方向に延びる筒部であり、取付部２３内にはレベル表示具本体１１が挿入される。取付部２３の内面にはレベル表示具１０の雄ネジ部１２と螺合する螺合部２６が形成されている。本実施形態では、螺合部２６は取付部２３の内面から突出する突起部である。レベル表示具１０は雄ネジ部１２が螺合部２６と螺合することにより、雄ネジ部１２の回転に応じて取付部２３内において上下方向に移動可能となっている。なお、螺合部２６は取付部２３の内面に形成されたネジ溝であってもよい。回転規制部２４は補助具本体２１から縦筋Ｔ２の側面まで延出している。回転規制部２４は、補助具２０が横筋Ｔ１を中心として回転しようとしたとき、縦筋Ｔ２に当接することで補助具２０が回転することを防止する。位置変更予定部２５は取付部２３の外面から横方向に延びている。位置変更予定部２５は上記実施形態で説明した折曲予定部１５１又は除去予定部１５２と同様の構成を採用することができる。
【００３１】
補助具２０Ａの使用方法及び作用効果について説明する。まず、補助具２０Ａを横筋Ｔ１に取り付ける。次に、取付部２３にレベル表示具本体１１を挿入する。雄ネジ部１２を回転させ、第一表示部１３及び第二表示部１４の高さを目標高さに合わせる。第一表示部１３及び第二表示部１４の高さ調節が完了したら、作業者は位置変更予定部２５を補助具本体２１に対して位置変更する。位置変更予定部２５が補助具本体２１に対して位置変更されたことにより、位置変更予定部２５の外観は変更前と比べて変化している。位置変更予定部２５が位置変更済みである補助具２０に取り付けられたレベル表示具１０は高さ調節済みであると判断することができ、高さ未調節のレベル表示具１０と区別することができる。
【００３２】
＜第二実施形態の変形例＞
補助具２０の変形例について説明する。上記で既に説明した構成要素については同一の符号を付しその説明を省略する。以下の変形例は、適宜組み合わせることができる。
【００３３】
［変形例２−１］
図８（ａ）及び（ｂ）を参照してレベル表示具１０を縦筋Ｔ２に取り付けるための補助具２０Ｂについて説明する。以下では、補助具２０Ａとの相違点を中心に説明する。図８（ａ）及び（ｂ）はそれぞれ補助具２０Ｂの斜視図及び平面図である。図８（ｂ）ではレベル表示具１０は省略している。補助具２０Ｂは、補助具本体２１と、保持部２２と、取付部２３と、位置変更予定部２５と、螺合部２６と、規制部２７とを備える。補助具２０Ｂは例えば樹脂製の一体成型品である。
【００３４】
保持部２２は補助具本体２１に形成され、縦筋Ｔ２と略平行に延びる筒部である。保持部２２の側面には上下方向に延びる開口部が形成されており、保持部２２内には縦筋Ｔ２が保持される。取付部２３内にはレベル表示具本体１１が挿入され、レベル表示具１０の雄ネジ部１２が螺合部２６と螺合する。位置変更予定部２５は取付部２３の外面から横方向に延びている。規制部２７は、取付部２３の外面から延びる下方移動規制部２７１と、下方移動規制部２７１から下方に延びる回転規制部２７２とから構成されている。下方移動規制部２７１は横筋Ｔ１の上方に配置される。回転規制部２７２は横筋Ｔ１の、取付部２３とは反対側に配置される。下方移動規制部２７１は、補助具２０Ｂが下方へ移動しようとしたとき、横筋Ｔ１の上面と当接することにより補助具２０Ｂが下方に移動することを防止する。回転規制部２７２は、補助具２０Ｂが縦筋Ｔ２を中心として回転しようとしたとき、横筋Ｔ１に当接することにより補助具２０Ｂが回転することを防止する。補助具２０Ｂでも補助具２０Ａと同様の効果を得ることができる。
【００３５】
［変形例２−２］
図９（ａ）及び（ｂ）を参照してレベル表示具１０を縦筋Ｔ２に取り付けるための補助具２０Ｃについて説明する。以下では、補助具２０Ｂとの相違点を中心に説明する。図９（ａ）及び（ｂ）はそれぞれ補助具２０Ｃの斜視図及び平面図である。図９（ｂ）ではレベル表示具１０は省略している。補助具２０Ｃは、補助具本体２１と、保持部２２と、取付部２３と、位置変更予定部２５と、螺合部２６と、操作部２８と、係合部２９とを備える。操作部２８は、保持部２２を開閉するための第一ハンドル２８１及び第二ハンドル２８２を備える。第一ハンドル２８１は保持部２２の第一部分２２１に接続されている。第二ハンドル２８２は、第一部分２２１と開口部によって隔てられた第二部分２２２に接続されている。係合部２９は、第一ハンドル２８１に形成された複数の凹部から成るストッパ部２９１と、第二ハンドル２８２に形成され、ストッパ部２９１に係合するストッパ片２９２とから構成されている。ストッパ片２９２をストッパ部２９１と係合させることにより保持部２２が縮径し、縦筋Ｔ２を強固に保持することができる。補助具２０Ｃでも補助具２０Ａと同様の効果を得ることができる。
【００３６】
［変形例２−３］
位置変更予定部２５が設けられる位置は取付部２３に限定されず、例えば保持部２２に形成されていてもよい。
【００３７】
＜第三実施形態＞
第三実施形態では本発明の治具として、住宅用のコンクリート基礎を施工する際に、レベリング材のみの打設目標高さを示すために使用されるレベル表示具３０について説明する。なお、上記実施形態で既に説明した構成要素については、同一の符号を付しその説明を省略する。
【００３８】
図１０はレベル表示具３０及びそれを取り付けるための補助具３００の斜視図である。図１０に示すように、レベル表示具３０は、レベル表示具本体３１と、雄ネジ部３２と、表示部３３と、位置変更予定部３４とを備える。レベル表示具３０は、例えば金属製又は樹脂製の一体成型品である。レベル表示具本体３１の頂部には工具係合溝が形成されている。雄ネジ部３２は、レベル表示具本体３１の表面に形成されている。表示部３３は、レベリング材の打設目標高さを示す目印である。本実施形態において、表示部３３はレベル表示具本体３１の頂部である。位置変更予定部３４は、レベル表示具本体３１の頂部から横方向に延び、レベル表示具本体３１に対して位置変更可能に設けられている。位置変更予定部３４としては、上記実施形態で説明した折曲予定部１５１又は除去予定部１５２と同様の構成を採用することができる。なお、位置変更予定部３４が設けられる位置はレベル表示具本体３１の頂部に限定されない。
【００３９】
レベル表示具３０の使用方法及び作用効果について説明する。レベル表示具３０を補助具３００に取り付ける。補助具３００を打設された後の未硬化のコンクリートに挿入する。雄ネジ部３２を回転させ、表示部３３の高さをレベリング材の打設目標高さに合わせる。レベル表示具３０の高さ調節が完了したら、作業者は位置変更予定部３４をレベル表示具本体３１に対して位置変更する。位置変更予定部３４がレベル表示具本体３１に対して位置変更されたことにより、位置変更予定部３４の外観は変更前と比べて変化している。したがって、位置変更予定部３４が折り曲げられているレベル表示具３０は高さ調節済みであると判断することができ、高さ未調節のレベル表示具３０と区別することができる。
【００４０】
＜第四実施形態＞
第四実施形態では本発明の治具として、住宅用のコンクリート基礎を施工する際に、レベリング材のみの打設目標高さを示すために使用されるレベル表示具を取り付けるための補助具４０について説明する。補助具４０に取り付けられるレベル表示具としては、第三実施形態で説明したレベル表示具３０や、位置変更予定部３４を有していないレベル表示具３０を使用することができる。なお、上記実施形態で既に説明した構成要素については、同一の符号を付しその説明を省略する。
【００４１】
図１１（ａ）は補助具４０及びそれに取り付けられるレベル表示具３０の斜視図である。図１１（ａ）に示すように、補助具４０は、補助具本体４１と、取付部４２と、位置変更予定部４３とを備える。補助具４０は例えば樹脂製の一体成型品である。
【００４２】
補助具本体４１は、薄板状の第一部分４１１と、円筒状の第二部分４１２と、を備える。第一部分４１１の上端には鍔部４１３が形成されている。後述する通り、鍔部４１３を含む第一部分４１１はコンクリートに埋設されることになる。第二部分４１２は鍔部４１３から上方に延出している。第二部分４１２の下部はコンクリートに埋設されることもあるが、少なくとも第二部分４１２の上部はコンクリートに埋設されずコンクリートから延出する。
【００４３】
取付部４２は、第一部分４１１及び第二部分４１２に形成された円筒状の空洞部から成る。取付部４２にはレベル表示具３０が挿入される。取付部４２の内面には、レベル表示具３０の雄ネジ部３２と螺合する螺合部４４が形成される。本実施形態では、螺合部４４は、上下方向に延び、取付部４２の内面から突出し、周方向に所定間隔あけて設けられた複数の突条である。レベル表示具３０を回転させると、突条のうち、雄ネジ部３２の山が通る軌道は雄ネジ部３２の山によって削られて谷になり、雄ネジ部３２の谷が通る軌道は削られず山となって雄ネジ部３２の谷と係合する。なお、螺合部４４は、突条に代え、取付部４２の内面に形成されたネジ溝であってもよい。
【００４４】
位置変更予定部４３は、第二部分４１２の上部（すなわち、コンクリートに埋設されない部分）の外面から横方向に延びている。位置変更予定部４３は補助具本体４１に対して位置変更可能に構成されている。位置変更予定部４３としては、上記実施形態で説明した折曲予定部１５１又は除去予定部１５２と同様の構成を採用することができる。
【００４５】
図１１（ｂ）を参照して補助具４０の使用方法及び作用効果について説明する。図１１（ｂ）は補助具４０の使用状態を示す断面図である。まず、レベル表示具３０を補助具４０に取り付ける。打設された後の未硬化のコンクリートＣに鍔部４１３が見えなくなるまで補助具４０を挿入する。雄ネジ部３２を回転させ、表示部３３の高さをレベリング材の打設目標高さに合わせる。レベル表示具３０の高さ調節が完了したら、作業者は位置変更予定部４３を補助具本体４１に対して位置変更する。位置変更予定部４３が補助具本体４１に対して位置変更されたことにより、位置変更予定部４３の外観は変更前と比べて変化している。位置変更予定部４３が位置変更済みである補助具４０に取り付けられたレベル表示具３０はその高さが調節済みであると判断することができ、高さ未調節のレベル表示具３０と区別することができる。
【符号の説明】
【００４６】
１０            レベル表示具（治具）
１１            レベル表示具本体
１３            第一表示部
１４            第二表示部
１５            位置変更予定部
１５１          折曲予定部
１５２          除去予定部
２０            補助具（治具）
２０Ａ〜２０Ｃ  補助具（治具）
２１            補助具本体
２２            保持部
２３            取付部
２５            位置変更予定部
３０            レベル表示具（治具）
３１            レベル表示具本体
３３            表示部
３４            位置変更予定部
４０            補助具（治具）
４１            補助具本体
４２            取付部
４３            位置変更予定部
【図１】
2019120060.tif 000003
【図２】
2019120060.tif 000004
【図３】
2019120060.tif 000005
【図４】
2019120060.tif 000006
【図５】
2019120060.tif 000007
【図６】
2019120060.tif 000008
【図７】
2019120060.tif 000009
【図８】
2019120060.tif 000010
【図９】
2019120060.tif 000011
【図１０】
2019120060.tif 000012
【図１１】
2019120060.tif 000013